【事件の表示】
　平成　９年特許願第１５６８６３号「スピーカ取付装置」拒絶査定に対する審判事件〔平成１１年　１月　６日出願公開、特開平１１−　　４４９０、請求項の数（２）〕について、次のとおり審決する。
【結　論】
　原査定を取り消す。
　本願の発明は、特許すべきものとする。
【理　由】
第１　【手続きの経緯、本願発明】
　本願は、平成９年６月１３日の出願であって、その請求項１及び２に係る発明は、平成１３年３月２６日付けの手続補正書により補正された明細書及び図面の記載からみて、その特許請求の範囲の請求項１及び２に記載された次の事項により特定されるとおりのものである。
「【請求項１】　略水平な載置面を有し、この載置面上にスピーカボックス本体を角度調整自在に保持するためのスピーカスタンドと、
　モニター等の情報機器に着脱可能に外付けされ、前記スピーカスタンドを着脱自在に保持するスピーカブラケットとからなり、
　前記スピーカスタンドを、前端側が広く後端側に向かって漸次幅が減少する平面形状に形成されたスタンドプレートと、このスタンドプレートにスピーカを角度調整自在に取付けるスピーカ取付部材とで構成し、前記スタンドプレートの両側面上部にテーパ部を設け、
　前記スピーカブラケットを、Ｌ字状に形成することにより互いに直交する固定部とスタンド取付部とで構成し、前記スタンド取付部の表面側に前記スタンドプレートを引出し自在に固定保持するスタンド保持部を設け、このスタンド保持部を、互いに対向して突設され前端側が広く後端側に向かって漸次幅が減少する２つの突状部と、これらの突状部間に形成され前記スタンドプレートが引出し自在に挿入されるスタンド用溝とで構成し、前記２つの突状部の互いに対向する内面を前記スタンドプレートの前記テーパ部が密接する斜面に形成したことを特徴とするスピーカ取付装置。
　　【請求項２】　請求項１記載のスピーカ取付装置において、
　スピーカスタンドとスピーカブラケットの摺接面に互いに係合しスピーカスタンドを位置決め係止する凸部と凹部を設けたことを特徴とするスピーカ取付装置。」
　　　　　　　　　
第２　【引用例】
　これに対して、原査定の拒絶理由で引用された特開平７−１７７５９２号公報（以下「引用例１」という。）には、ＣＲＴ装置１０の上側面に断面形状がＬ字型の取付部材２を介してスピーカユニット４ａ，４ｂを着脱自在に取付けるようにしたスピーカシステムが記載されている。
　同じく引用された実願昭６３−８１４８６号（実開平２−４３９６号）のマイクロフィルム（以下「引用例２」という。）には、スピーカＣを取付フレーム３にヒンジ２を介して角度調整自在に取付け、この取付フレーム３をテレビ受信機のキャビネットＡの背面部に設けたガイドレール１，１’に差込み、係止孔１１ａ，１１ａ’と係止片３１ａ，３１ａ’との係合によって着脱自在に取付けるようにしたスピーカの取付構造が記載されている。
　同じく引用された実願昭５４−１５９６４２号（実開昭５６−７７３９５号）のマイクロフィルム（以下「引用例３」という。）には、支持体Ａの表面に互いに対向するＬ字型テーパレール２，２を設け、掛け吊り体Ｂの背面に逆台形の取付板片４を設け、この取付板片４を前記テーパレール２，２間に落とし込んでテーパ嵌合させることにより掛け吊り体Ｂを支持体Ａに着脱自在に取付けるようにした組立式掛け吊り具が記載されている。
　原査定で周知技術として示された実願昭６３−１５４４３８号（実開平２−７４８６８号）のマイクロフィルム（以下「引用例４」という。）には、板２の上面センターより奥に勾配４をもった溝３を設け、溝３に入り勾配４を摺動固定する勾配６を持った駒５を設け、この駒５に用途に対応する器具７を固定した壁掛け保持具が記載されている。
　同じく示された実願昭５４−２４８６３号（実開昭５５−１２６０１７号）のマイクロフィルム（以下「引用例５」という。）には、磁石１３を内蔵しありみぞ状の係合部１４を有する基本本体部材１０と、前記係合部１４に摺動自在に係合するあり状の係合部１５を有する応用部品部材１７とで構成した磁着式器具が記載されている。
　　　　　　　　　　　　　　　　　　　　　
第３　【当審の判断】
　１　請求項１について
　本願の請求項１に係る発明と各引用例に記載された発明とを対比すると、引用例１には、ＣＲＴ装置１０の上側角部に装着されるＬ字型の取付部材２（本願の請求項１に係る発明でいう「スピーカブラケット」に対応）を介してスピーカユニット４ａ，４ｂを着脱自在に取付けること、また引用例２には、スピーカＣを取付フレーム３（本願の請求項１に係る発明でいう「スピーカスタンド」に対応）にヒンジ２を介して角度調整自在に取付け、この取付フレーム３をキャビネットＡに設けたガイドレール１，１’に差込み、係止孔１１ａ，１１ａ’と係止片３１ａ，３１ａ’との係合によって着脱自在に取付けること、また引用例３には、支持体Ａの表面にＬ字型テーパレール２，２を設け、掛け吊り体Ｂの背面に逆台形の取付板片４を設け、この取付板片４をテーパレール２，２間に落とし込んでテーパ嵌合させることにより掛け吊り体Ｂを支持体Ａに着脱自在に取付けることがそれぞれ記載されており、さらに引用例４、５には、保持具に設けた２つの突状部の互いに対向する内面に斜面を形成し、この斜面とテーパ部をテーパ嵌合させることは示されているが、上記各引用例のいずれにも、スピーカ取付装置をスピーカスタンドとスピーカブラケットの２部材で構成し、スタンドプレートを前端側が広く後端側に向かって幅が漸次減少する平面形状に形成してスピーカブラケットにテーパ嵌合させるだけでなく、スタンドプレートの両側面上部にテーパ部を設け、スピーカブラケットに設けた２つの突状部の互いに対向する内面を斜面に形成し、この斜面と前記テーパ部をテーパ嵌合させるようにしたこと、つまり、スタンドプレートをその長手方向と板厚方向の双方について二重にテーパ嵌合させることについては、何も記載がなく、示唆もない。すなわち、上記各引用例には、本願の請求項１に係る発明の主要な事項である「スピーカスタンド」と、「前記スピーカスタンドを着脱自在に保持するスピーカブラケットとからなり」、「前記スピーカスタンドを、前端側が広く後端側に向かって漸次幅が減少する平面形状に形成されたスタンドプレートと、このスタンドプレートにスピーカを角度調整自在に取付けるスピーカ取付部材とで構成し、前記スタンドプレートの両側面上部にテーパ部を設け、前記スピーカブラケットを、Ｌ字状に形成することにより互いに直交する固定部とスタンド取付部とで構成し、前記スタンド取付部の表面側に前記スタンドプレートを引出し自在に固定保持するスタンド保持部を設け、このスタンド保持部を、互いに対向して突設され前端側が広く後端側に向かって漸次幅が減少する２つの突状部と、これらの突状部間に形成され前記スタンドプレートが引出し自在に挿入されるスタンド用溝とで構成し、前記２つの突状部の互いに対向する内面を前記スタンドプレートの前記テーパ部が密接する斜面に形成した」点の構成（以下「構成Ａ」という。）については何も記載がなく、示唆もない。
　そして、本願の請求項１に係る発明は、上記構成Ａを採用することによって「スピーカを楔効果によって固定保持するようにしたので、安定かつ確実に固定することができ、スピーカの脱落を防止することができる。また、テーブル上に載置して使用する場合はもとよりＰＣのモニター等に外付けして用いる場合であってもスピーカの取付角度を自由に変更することができる。また、スピーカスタンドをスピーカブラケットの前方に引出し自在に取付けるようにしたので、上方からの取付けに比べて取付けおよび取外しが容易である。」（【発明の効果】欄の記載）等の明細書記載の顕著な効果を奏するものと認められる。
　２　請求項２について
　本願の請求項２に係る発明は、本願の請求項１に係る発明を引用し、更に限定事項（「スピーカスタンドとスピーカブラケットの摺接面に互いに係合しスピーカスタンドを位置決め係止する凸部と凹部を設けた」点）を付加したものであるから、上記本願の請求項１に係る発明について検討したことと同様の理由により、上記各引用例記載の発明から容易になし得たとはいえない。
　　　　　　　　　　　　　　　　　　　
第４　【むすび】
　以上のとおりであるから、本願の請求項１及び２に係る発明が上記各引用例に記載された発明に基づいて当業者が容易に発明をすることができたという原査定の理由によっては本願を拒絶することはできない。
　また、他に本願を拒絶すべき理由を発見しない。
　よって、結論のとおり審決する。